(57)【要約】【課題】  従来のこの種の止水パネルを、建物の出入口、又は水路、トンネルの開口部に、取付ける方法として、文献がある。この文献は、方立てに、上方より落とし込む構造であり、かつ落込みと同時にラッチ機構が働くことを特徴とする。従って、止水パネルを、上方に高く持ち上げる所作が必要となり、厄介である。緊急時に困ることが考えられる。【解決手段】  本発明は、建物等の出入口、又は水路、トンネルの何れかの開口部に立設された方立てと、方立て間に止水パネルを支持する止水パネルの取付け装置で、止水パネルは、方立ての対峙面に設けた係止孔に差込み支持されるラッチ等、及び係止爪を備え、方立ての係止孔に、ラッチ等、及び係止爪を差込み支持することで、簡易かつ速やかに取付け、取り外し可能とする構造であり、取付け等の容易化、止水パネルの軽量化を図る。【選択図】      図１
2020070577.tif 000002
【特許請求の範囲】
【請求項１】
建物、構造物、構築物の何れかの出入口、又は水路、トンネルの何れかの開口部に立設された対の方立てと、この方立て間に止水パネルを支持する止水パネルの取付け装置であって、
前記止水パネルは、前記方立ての対峙面に設けた複数の係止孔に差込み支持される複数のラッチ、ロックラッチ機構、の何れかでなる係止機構、及び複数の係止爪を備えており、
前記方立ての前記係止孔に、前記係止機構、及び前記複数の係止爪を差込み支持することで、簡易かつ速やかに取付け可能とする構成とした止水パネルの取付け装置。
【請求項２】
前記止水パネルの、上段に設けた前記ラッチの先端と、中断と下段にそれぞれ設けた前記係止爪の爪片を、前記止水パネルの差込み側より突出する構成とした請求項１に記載の止水パネルの取付け装置。
【請求項３】
前記ラッチと、前記係止爪には、それぞれブラケットを設け、このブラケットに、止水パネルを取付ける構成とした請求項１に記載の止水パネルの取付け装置。
【請求項４】
前記ブラケットは、少なくとも、二枚構造であって、その一枚は、前記ラッチの前端部に、他の一枚は、このラッチの後側とする構成とした請求項３に記載の止水パネルの取付け装置。
【請求項５】
前記ブラケットは、少なくとも、二枚構造であって、その一枚は、前記係止爪本体の前側に、他の一枚は、この係止爪本体の後側とする構成とした請求項３に記載の止水パネルの取付け装置。
【請求項６】
前記止水パネルは、前後板の二枚の止水パネル材であって、この二枚の止水パネル材を前記ブラケットに取付ける構成とした請求項４、又は請求項５に記載の止水パネルの取付け装置。
【請求項７】
前記ロックラッチ機構は、ラッチと、このラッチを受け入れるロックとでなる構成とした請求項３に記載の止水パネルの取付け装置。
【発明の詳細な説明】
【技術分野】
【０００１】
本発明は、建物、構造物、構築物の何れかの出入口、又は水路、トンネルの何れかの開口部に立設される止水パネル（止水扉）の取付け装置に関する。
【背景技術】
【０００２】
この止水パネルは、人の往来、物の取扱い等における出入口、又は水、海水の流れ、物流の流れ等の開口部に取付けられる。この取付け方法として、方立てに設けた溝に、差込み支持する差込み式（落込み式）と、方立てに、水圧方向より圧接する取付け式がある。
【０００３】
（１）  差込み式としては、例えば、特開２０１６−１９１２３６号公報に記載の発明では、方立てに、上方より落とし込む構造であり、かつ落込みと同時にラッチ機構が働くことを特徴とする。従って、止水パネルを、上方に高く（方立ての上の高さ）に持ち上げる所作が必要となり、厄介である。緊急時に困ることが考えられる。
【０００４】
（２）  取付け式としては、例えば、特開２００６−２１４１７８号公報に記載の発明がある。この発明は、パッキンとフックを備えた止水パネルを、方立ての一面に当接することと、フックを、方立てのピンに係止する構造が記載されている。しかし、フックをピンに係止する所作が必要となり、取付け時に、余分の手間が掛かる。従って、緊急時に、余分の手間が掛かることは問題であり、改良の余地がある。
【特許文献１】特開２０１６−１９１２３６号公報
【特許文献２】特開２００６−２１４１７８号公報
【発明の概要】
【発明が解決しようとする課題】
【０００５】
前述した文献（１）、（２）においては、従前の止水パネルより改良されており、取付けの方法が進歩している。しかしながら、前述した如く、緊急時等において、止水パネルが必要な際に、止水パネルを持ち上げる所作、及び／又は、ロック操作等が必要となり、厄介であること、又は余分の手間がかかる恐れがあること、等の課題の改良が要望される。
【課題を解決するための手段】
【０００６】
前記止水パネルを、方立ての一面よりストレートに差込み支持することで、持ち上げる所作を無くすこと、又はこの差込み操作で、原則として、その他の所作をすることなく、取付作業が完了する取付け装置を提案する。
【０００７】
その好ましい、一例が、請求項１−７である。
【発明の効果】
【０００８】
請求項１の発明では、建物、構造物、構築物の何れかの出入口、又は水路、トンネルの何れかの開口部に立設された対の方立てと、方立て間に止水パネルを支持する止水パネルの取付け装置であって、
止水パネルは、方立ての対峙面に設けた複数の係止孔に差込み支持される複数のラッチ、ロックラッチ機構、の何れかでなる係止機構、及び複数の係止爪を備えており、
方立ての係止孔に、係止機構、及び複数の係止爪を差込み支持することで、簡易かつ速やかに取付け可能とする構成とした止水パネルの取付け装置を提案する。
【０００９】
これにより、請求項１では、止水パネルを、方立ての一面よりストレートに差込み支持することで、持ち上げる所作を無くすこと、又はこの差込み操作で、原則として、その他の所作をすることなく、取付け作業が完了する取付け装置を提案する。
【００１０】
請求項２の発明では、止水パネルの、上段に設けたラッチの先端と、中断と下段にそれぞれ設けた係止爪の爪片を、止水パネルの差込み側より突出する構成とした止水パネルの取付け装置を提案する。
【００１１】
これにより、請求項２では、請求項１の特徴を達成できる。また、この特徴を達成できる止水パネルの構造を提供できる。
【００１２】
請求項３の発明では、ラッチと、係止爪には、それぞれブラケットを設け、ブラケットに、止水パネルを取付ける構成とした止水パネルの取付け装置を提案する。
【００１３】
これにより、請求項３では、請求項１の特徴を達成できる。また、この特徴を達成できるラッチと係止爪の構造を提供できる。
【００１４】
請求項４の発明は、ブラケットは、少なくとも、二枚構造であって、その一枚は、ラッチの前端部に、他の一枚は、ラッチの後側とする構成とした止水パネルの取付け装置を提案する。
【００１５】
これにより、請求項４では、請求項１の特徴を達成できる。また、この特徴を達成できるブラケット、及びラッチの構造を提供できる。
【００１６】
請求項５の発明では、ブラケットは、少なくとも、二枚構造であって、その一枚は、係止爪本体の前側に、他の一枚は、係止爪本体の後側とする構成とした止水パネルの取付け装置を提案する。
【００１７】
これにより、請求項５では、請求項１の特徴を達成できる。また、この特徴を達成できるブラケット、及び係止爪の構造を提供できる。
【００１８】
請求項６の発明では、止水パネルは、前後板の二枚の止水パネル材であって、この二枚の止水パネル材をブラケットに取付けられる構成とした止水パネルの取付け装置を提供する。
【００１９】
これにより、請求項６では、請求項１の特徴を達成できる。また、この特徴を達成できる止水パネル材、及びブラケットの構造を提供できる。
【００２０】
請求項７の発明では、ロックラッチ機構は、ラッチと、ラッチを受け入れるロックとでなる構成とした止水パネルの取付け装置を提供する。
【００２１】
これにより、請求項７では、請求項１の特徴を達成できる。また、最適な、止水パネル材の取付け装置を提供できる。
【図面の簡単な説明】
【００２２】
【図１】本発明の一実施例を示した一部省略の縮尺俯瞰図
【図２】図１の要部を拡大した図
【図３−１】それぞれの方立てと、一例の止水パネルとの関係を示した模式図であり、既設金物に溶接固定した方立ての図
【図３−２】それぞれの方立てと、一例の止水パネルとの関係を示した模式図であり、壁面に埋込み固定した方立ての図
【図３−３】それぞれの方立てと、一例の止水パネルとの関係を示した模式図であり、後面アンカーに固定した方立ての図
【図４】止水パネルに設けたラッチ、及び係止爪の関係を示した模式図であり、（イ）は、正面図、（ロ）は、側面図、（ハ）は、（イ）のＡ−Ａ断面図、（ニ）は、（イ）のＢ−Ｂ断面図、（ホ）は、（イ）のＣ−Ｃ断面図、（へ）は、（イ）のＤ−Ｄ断面図
【図５−１】図４に示した実施例の要部を示した拡大端面斜視図であり、方立てと止水パネルの連結（結合）状態の図
【図５−２】止水パネルのラッチを拡大した図
【図５−３】ラッチ機構の断面図
【図５−４】方立てと止水パネルの係止爪の連結状態の図
【図５−５】方立てと止水パネルの係止爪の連結状態の俯瞰した図
【図６】止水パネルに設けた別のラッチ、及び別の係止爪との関係を示した模式図であり、側面図を示す
【図７】止水パネルを方立てに取付ける、優れた他の取付け手段を提供する一部省略の縮尺俯瞰図と、要部の俯瞰図を示す
【図８】止水パネルを方立てに取付ける、優れた別の取付け手段を提供する一部省略の縮尺俯瞰図と、要部の俯瞰図を示す
【発明を実施するための形態】
【００２３】
以下、本発明の好ましい、一実施例を説明する。
【００２４】
図面において、図中１は止水パネル（止水扉）で、例えば、炭素繊維強化プラスチックとか、発泡アルミ、コア等の軽量素材で構成する。この止水パネル１の長手方向Ｘの両面２、２ａ（以下、対の構造は、一方の符号のみを記す）には、その一方の面２ａより突出するラッチ３、係止爪４、５を備える。図中６は方立てであり、この方立て６の、少なくとも、一面には、ラッチ３と係止爪４、５を差込み支持する（差込み、及び／又は、支持（係止））、係止孔７〜９を有する。
【００２５】
方立て６は、図３に示したように、図３−１の既設金物に溶接固定した方立て６とか、図３−２の壁面に埋込み固定した方立て６、又は図３−３の後面アンカーに固定した方立て６の全ての形態に対応可能であり、次のような利点がある。：既設金物（既設の敷金物）がある場合、それをそのまま流用することが可能である。：方立て６は、四角柱の形状で、突起が無いので外観がすっきりする。：緊急時にしか使用しないものなので、使用時以外は人の動線を初めとし、視覚的にも邪魔にならない。：設置は壁面に埋込み固定（壁への埋設）と壁へのアンカー止めの前出しと、どちらにも対応できる。そして、この前出しでも、突出は、例えば、４ｃｍ〜１０ｃｍ程度と少ない（望ましくは、６ｃｍ〜８ｃｍ）。さらに、前出し設置であれば、土木工事をほぼなしで施工ができる（勿論、敷金物の止水性をどれだけ高く見るか客先の判断による）。：止水パネル１は段積みが可能であり、かつ段済みしても、前述の方立て６に関する利点は図れる。
【００２６】
以下、好ましい、実施例に関して説明していく。止水パネル１は、例えば、炭素繊維強化プラスチックとか、発泡アルミ、コア等の軽量素材で、必要により、枠板を設けて補強する。この止水パネル１には、ラッチ３のラッチ機構３００、及び係止爪４、５の本体４００、５００の、それぞれ前側と後側に配備したブラケット１０、１１、１２を、止水パネル１の両端部１ｂで、前側は面２に、後側は内面１ｃに固定する。例えば、止水パネル１の上端には、ラッチ機構３００が、中段と下段には係止爪４、５がそれぞれ設けられており、前述の如く、ラッチ３の先端と、爪片４０１、５０１が、止水パネル１の面２ａより突出する。この突出したラッチ３の先端と、爪片４０１、５０１が、方立て６の係止孔７〜９に差込まれ、かつ係止孔７〜９の孔面、棒材等の係止部７ａ〜９ａに載架・係止等される。このように、止水パネル１にラッチ３のラッチ機構３００、及び係止爪４、５の本体４００、５００を、それぞれ取付けることは、低コスト化、作業・組立て等の合理化、又は材料節約等に有益である。
【００２７】
ラッチ機構３００は、図５−２、図５−３に一例が図解されている。即ち、取付け本体を備えたケース３０１の部屋に前後動可能に設けた鍵形の操作杆３０２と、この操作杆３０２の端に設けたラッチ３と、この操作杆３０２の復帰を司る部屋に設けたスプリング３０３とで構成されている。従って、操作杆３０２をイ方向に引っ張り、かつスプリンク３０３を圧縮することで、ラッチ３が部屋に沈み込み、逆に開放すると、スプリング３０３の反力でラッチ３が部屋より突出し、かつ止水パネル１の面２ａより突出する構造である。そして、このケース３０１の面に（部屋の反対面）には、対のブラケット１０、１０が間隔を置いて、面と直交する方向に設けられる。この対のブラケット１０、１０は、止水パネル１の面２と、内面１ｃに取付ける。このように、ブラケット１０のうち一方を、内面１ｃに取付けることで、方立て６に止水パネル１の上部が密着して取り付け可能となる。
【００２８】
また、係止爪４、５（原則として、共通するので、係止爪４を主体として説明する）は、図５−４、図５−５に一例が図解されている。即ち、係止爪４は、本体４００と、その先端に設けた爪片４０１であり、補強体４０２を一側面、及び／又は、両側面に設ける。そして、この本体４００の面に（部屋の反対面）には、対のブラケット１１、１１・１２、１２（以下、１１、１１とする）が間隔を置いて、面と直交する方向に設けられる。この対のブラケット１１、１１は、止水パネル１の面２と、内面１ｃに取付ける。このように、ブラケット１１、１１のうち一方を、内面１ｃに取付けることで、方立て６に止水パネル１の中間部及び下部が密着して取り付け可能となる。
【００２９】
尚、図６は、ケース３０１、又は本体４００、５００が幅広の形態を示している。この例では補強体４０２、５０２を省略可能である。
【００３０】
図中１５は水密ゴムであり、その他の箇所、例えば、方立て６、及び／又は、止水パネル１の間に設ける。水密ゴム１５は、この例では、方立て６であるが、床面、その他の箇所に設けることも有り得る。
【００３１】
続いて、止水パネル１を方立て６、６（一つの番号で示す）に支持する（取付ける）には、止水パネル１を、原則として、一人で持ち、例えは、水圧方向から（前から）、方立て６の長孔形態の係止孔７〜９の上側を狙って、ケース３０１等より突出したラッチ３と係止爪４、５を、差し入れる。この差し入れの際は、係止爪４、５の爪片４０１、５０１が、少なくとも、係止部８ａ、９ａを乗り越えることが望ましい、そのために、僅かであるが、持ち上げる（戸当りより上にあげる必要がない）。これを乗り越えた後で、止水パネル１を下げる（下側にする）。これにより、ラッチ３（ケース３０１より突出した）が係止孔７に差入れられ、かつ係止部７ａに載架される。また、爪片４０１、５０１は、係止孔８、９の係止部８ａ、９ａにロックされるとともに、止水パネル１の設置が完了し、かつ水密ゴム１５の働きで、方立て６と地面の止水が確保される。この方法であれは、ハンドル、フック等によるロック操作とか、前述の高い位置までの持ち上げ操作等の厄介で、かつ時間を要する所作がなくなり、有益であることと、利便性が図れる。また、一人での設置が可能である。さらには、ロック操作等に必要とする所作と機材の必要がない。例えば、戸当り金物において、ハンドルの受けが付いた、パネルにハンドルが付いたタイプでは、パネルへのハンドルの取付けと、設置可能なタイプでは、収納スペース（保管場所）が必要となる。しかし、本発明では、ハンドルの飛び出しもなく、省スペースで設置できることと、ハンドル付きパネルに対して、ハンドル、その他の部品もなく軽量化と、低コスト化が図れる。例えば、ハンドルを無くすことで、一枚の止水パネルにおいて、ハンドルを最低で４個を取付けた場合に比し、少なくとも、２〜３ｋｇの軽量化が図れる。
【００３２】
尚、止水パネル１を取り外す場合には、ラッチ機構３００の操作杆３０２を引きラッチ３をケース３０１内に収めると、ラッチ３と係止部７ａの関係は外れる（載架解除となる）。そこで、止水パネル１を、少し持ち上げると、係止部８ａ、９ａより、爪片４０１、５０１が離脱し、係止部８ａ、９ａと爪片４０１、５０１の関係は外れる。以上の操作で、方立て６と止水パネル１の連繋がなくなり、方立て６と止水パネル１は切離しできる（分離される）。前記の載架の解除とこの分離を利用して、止水パネル１を、方立て６より引く抜くことで、例えば、ワンタッチで取り外し作業が終了する。
【００３３】
前述した各実施例等は、本発明の好ましい一例の説明である。各実施例とか図面に限定されない。従って、発明の趣旨の範囲において構成の一部を変更する構造とか、同じ特徴と効果を達成できる構造、等は、本発明の範疇である。
【００３４】
尚、図示しないが、ラッチ３と、係止爪４、５を枠体に取付け、この枠体を止水パネル１に取付け、ラッチ３の先端と、爪片４０１、５０１が、枠体の一面から突出する構造も可能である。また、このラッチ３と、係止爪４、５を、方立て６に設け、係止孔７ａ〜９ａを、止水パネル１の、図示しない、枠体に設ける等の、別の構造も可能である。
【００３５】
図７は、止水パネル１を方立て６に取付ける、優れた他の取付け手段（ロックラッチ機構）を示す。この一例は、止水パネル１に設けた取付け本体を備えた支持体１６と、この支持体１６に設けた、ワイヤ１７（自動も有り得る）で作動する分岐形ラッチ３０と、方立て６の開口に設けた係止杆１８（係止部）でなる。即ち、一例では、ワイヤ１７の操作で、ラッチ３０を動作し（起立し）、その分岐溝で係止杆１８に係止する構成である。
【００３６】
また、図８は、止水パネル１を方立て６に取付ける、優れた別の取付け手段（ロックラッチ機構）を示す。この一例は、止水パネル１に設けた取付け本体を備えた支持体１６と、この支持体１６に設けた凸形状のラッチ３１と、方立て６の開口に設けた拡縮可能なチャックを備えた係止受け１９（係止部）でなる。即ち、一例では、ラッチ３１を、そのまま係止受け１９のチャックに差込み係止する構成である。
【００３７】
以上で説明した各実施例は、好ましい一例を示したものであり、同様な効果と特徴を有する他の構造、手段は、本発明の範疇である。
【符号の説明】
【００３８】
１  止水パネル
１ｂ  端部
１ｃ  内面
２  面
２ａ  面
３  ラッチ
３０  ラッチ
３１  ラッチ
３００  ラッチ機構
３０１  ケース
３０２  操作杆
３０３  スプリング
４  係止爪
４００  本体
４０１  爪片
４０２  補強体
５  係止爪
５００  本体
５０１  爪片
５０２  補強体
６  方立て
７  係止孔
７ａ  係止部
８  係止孔
８ａ  係止部
９  係止孔
９ａ  係止部
１０  ブラケット
１１  ブラケット
１２  ブラケット
１５  水密ゴム
１６  支持体
１７  ワィヤ
１８  係止杆
１９  係止受け
Ｘ  長手方向
【図１】
2020070577.tif 000003
【図２】
2020070577.tif 000004
【図３−１】
2020070577.tif 000005
【図３−２】
2020070577.tif 000006
【図３−３】
2020070577.tif 000007
【図４】
2020070577.tif 000008
【図５−１】
2020070577.tif 000009
【図５−２】
2020070577.tif 000010
【図５−３】
2020070577.tif 000011
【図５−４】
2020070577.tif 000012
【図５−５】
2020070577.tif 000013
【図６】
2020070577.tif 000014
【図７】
2020070577.tif 000015
【図８】
2020070577.tif 000016
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
建物、構造物、構築物の何れかの出入口、又は水路、トンネルの何れかの開口部に立設された対の方立てと、この方立て間に止水パネルを支持する止水パネルの取付け装置であって、
前記止水パネルは、その面（２ａ）の上端に備えたケースに前後動可能に設けたラッチ（３）と、前記面（２ａ）の中段と下段にそれぞれ設けた、爪片（４０１）・（５０１）を備えた係止爪（４）・（５）と、を備え、前記方立ては、前記面（２ａ）に対峙する面の、前記ラッチ（３）及び前記係止爪（４）・（５）の位置に対応する各位置に、複数の長孔形態の係止孔（７）〜（９）を備える、前記止水パネルと前記方立ての構成であり、
前記ラッチ（３）は、前記方立ての前記面に当たり後退可能とし、かつ、前記止水パネルが前記方立ての前記面に密着されたときに、このラッチ（３）は、前記係止孔（７）に差し込み前進可能とし、
このラッチ（３）の前記後退を介して、前記止水パネルが、前記方立ての前記面に密着されたときに、前記爪片（４０１）・（５０１）を、前記係止孔（８）・（９）の前記係止部（８ａ）・（９ａ）に沿って前記係止孔（８）・（９）に差し込み、かつこの係止部（８ａ）・（９ａ）に係止可能な構成としたことを特徴とする止水パネルの取付け装置。
【請求項２】
前記止水パネルの、上段に設けた前記ラッチの先端と、前記中段と前記下段にそれぞれ設けた前記係止爪の前記爪片を、前記止水パネルの差込み側より突出する構成とした請求項１に記載の止水パネルの取付け装置。
【請求項３】
前記ラッチと、前記係止爪には、それぞれブラケットを設け、このブラケットに、前記止水パネルを取付ける構成とした請求項１に記載の止水パネルの取付け装置。
【請求項４】
前記ブラケットは、少なくとも、二枚構造であって、その一枚は、前記ラッチの前端部に、他の一枚は、このラッチの後側とする構成とした請求項３に記載の止水パネルの取付け装置。
【請求項５】
前記ブラケットは、少なくとも、二枚構造であって、その一枚は、前記係止爪本体の前側に、他の一枚は、この係止爪本体の後側とする構成とした請求項３に記載の止水パネルの取付け装置。
【請求項６】
前記止水パネルは、前後板の二枚の止水パネル材であって、この二枚の止水パネル材を前記ブラケットに取付ける構成とした請求項４、又は請求項５に記載の止水パネルの取付け装置。
【手続補正２】
【補正対象書類名】明細書
【補正対象項目名】０００５
【補正方法】変更
【補正の内容】
【０００５】
前述した文献（１）、（２）においては、従前の止水パネルより改良されており、取付けの方法が進歩している。しかしながら、前述した如く、緊急時等において、止水パネルが必要な際に、止水パネルを高く持ち上げる所作、及び／又は、ロック操作等が必要となり、厄介であること、又は余分の手間がかかる恐れがあること、等の課題の改良が要望される。
【手続補正３】
【補正対象書類名】明細書
【補正対象項目名】０００６
【補正方法】変更
【補正の内容】
【０００６】
前記止水パネルを、方立ての一面よりストレートに差込み支持することで、高く持ち上げる所作を無くすこと、又はこの差込み操作で、原則として、その他の所作をすることなく、取付作業が完了する取付け装置を提案する。
【手続補正４】
【補正対象書類名】明細書
【補正対象項目名】０００８
【補正方法】変更
【補正の内容】
【０００８】
請求項１の発明は、建物、構造物、構築物の何れかの出入口、又は水路、トンネルの何れかの開口部に立設された対の方立てと、この方立て間に止水パネルを支持する止水パネルの取付け装置であって、
止水パネルは、その面（２ａ）の上端に備えたケースに前後動可能に設けたラッチ（３）と、面（２ａ）の中段と下段にそれぞれ設けた、爪片（４０１）・（５０１）を備えた係止爪（４）・（５）と、を備え、方立ては、面（２ａ）に対峙する面の、ラッチ（３）及び係止爪（４）・（５）の位置に対応する各位置に、複数の長孔形態の係止孔（７）〜（９）を備える、止水パネルと方立ての構成であり、
ラッチ（３）は、方立ての面に当たり後退可能とし、かつ、止水パネルが方立ての面に密着されたときに、ラッチ（３）は、係止孔（７）に差し込み前進可能とし、
ラッチ（３）の後退を介して、止水パネルが、方立ての面に密着されたときに、爪片（４０１）・（５０１）を、係止孔（８）・（９）の係止部（８ａ）・（９ａ）に沿って係止孔（８）・（９）に差し込み、かつ係止部（８ａ）・（９ａ）に係止可能な構成としたことを特徴とする止水パネルの取付け装置を提案する。
【手続補正５】
【補正対象書類名】明細書
【補正対象項目名】０００９
【補正方法】変更
【補正の内容】
【０００９】
これにより、請求項１では、止水パネルを、方立ての一面（水圧方向の対峙側）より差込み支持することで、持ち上げる所作も少なくなり（係止爪４、５の長さ分の持ち上げ）、又はこの差込み操作で、原則として、その他の所作をすることなく、取付け作業が完了できる取付け装置を提供する。又方立てには、係止孔７〜９を設ける構成としたので、突起がなく、すっきりした感覚と、邪魔にならない利点がある。
【手続補正６】
【補正対象書類名】明細書
【補正対象項目名】００１０
【補正方法】変更
【補正の内容】
【００１０】
請求項２の発明では、止水パネルの、上段に設けたラッチの先端と、中段と下段にそれぞれ設けた係止爪の爪片を、止水パネルの差込み側より突出する構成とした止水パネルの取付け装置を提案する。
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２５
【補正方法】変更
【補正の内容】
【００２５】
方立て６は、図３に示したように、図３−１の既設金物に溶接固定した方立て６とか、図３−２の壁面に埋込み固定した方立て６、又は図３−３の後面アンカーに固定した方立て６の全ての形態に対応可能であり、次のような利点がある。：既設金物（既設の敷金物）がある場合、それをそのまま流用することが可能である。：方立て６は、四角柱の形状で、突起が無いので外観がすっきりする。：緊急時にしか使用しないものなので、使用時以外は人の動線を初めとし、視覚的にも邪魔にならない。：設置は壁面に埋込み固定（壁への埋設）と壁へのアンカー止めの前出しと、どちらにも対応できる。そして、この前出しでも、突出は、例えば、４ｃｍ〜１０ｃｍ程度と少ない（望ましくは、６ｃｍ〜８ｃｍ）。さらに、前出し設置であれば、土木工事をほぼなしで施工ができる（勿論、敷金物の止水性をどれだけ高く見るか客先の判断による）。：止水パネル１は段積みが可能であり、かつ段積みしても、前述の方立て６に関する利点は図れる。